(57)【要約】トラクション式エレベータ装置の軽量化ができるエレベータの巻上装置を提供することを目的とする。目的を達成するための手段はエレベータの巻上装置において、ロープをシーブの外周面に押し付ける押付けローラを有し、前記押付けローラが非回転物に回転自在に支持されると共に、前記押付けローラを前記ロープに押圧する押圧手段を有し、前記押付けローラの外周が前記ロープに係合する円弧溝を有し、前記押付けローラの外周が弾性体で構成され、前記押付けローラが前記シーブの回転中心に対して略対称に配置された少なくとも一対からなり、前記押付けローラが前記ロープに対して移動可能であり、前記一対の押付けローラ間に巻き掛けられたベルトを備え、前記一対の押付けローラが、前記一対の押付けローラ間の前記ベルトを介して、前記ロープを前記シーブの外周面に押し付けた。
2004005179.tif 000002
【特許請求の範囲】
【請求項１】
モータに連結されて回転させられるシーブと、前記シーブの外周面に巻き掛けられてエレベータカーを昇降させるロープとを備えたエレベータの巻上装置において、前記ロープを前記シーブの外周面に押し付ける押付けローラを有することを特徴とするエレベータの巻上装置。
【請求項２】
前記押付けローラが非回転物に回転自在に支持されると共に、前記押付けローラを前記ロープに押圧する押圧手段を有することを特徴とする請求項１記載のエレベータの巻上装置。
【請求項３】
前記押付けローラの外周が前記ロープに係合する円弧溝を有していることを特徴とする請求項１又は２記載のエレベータの巻上装置。
【請求項４】
前記押付けローラの外周が弾性体で構成されていることを特徴とする請求項１又は２記載のエレベータの巻上装置。
【請求項５】
前記押付けローラが前記シーブの回転中心に対して略対称に配置された少なくとも一対からなることを特徴とする請求項１又は２記載のエレベータの巻上装置。
【請求項６】
前記押付けローラが前記ロープに対して移動可能であることを特徴とする請求項１又は２記載のエレベータの巻上装置。
【請求項７】
前記一対の押付けローラ間に巻き掛けられたベルトを備え、前記一対の押付けローラが、前記一対の押付けローラ間の前記ベルトを介して、前記ロープを前記シーブの外周面に押し付けることを特徴とする請求項５記載のエレベータの巻上装置。
【発明の詳細な説明】
【技術分野】  本発明は、トラクション式エレベータの巻上装置に関する。詳しくは、モータに連結されて回転させられるシーブと、シーブの外周面に巻き掛けられてエレベータカーを昇降させるロープとを備えたエレベータの巻上装置に関する。
【背景技術】  従来のトラクション式エレベータの巻上装置を図５で説明する。図５において、シーブ１はモータ（図示なし）に連結されて回転させられる。ロープ２はシーブ１の外周面に巻き掛けられている。エレベータカー３は懸架した一方のロープ２に接続されている。カウンターウエイト４は懸架した他方のロープ２に接続されている。
シーブ１はモータから減速機（図示なし）を介して回転させられる場合もある。
モータを回転駆動させると、エレベータカー３はシーブ１の回転及びロープ２の上下移動によって昇降できる。
そして、ロープ２へのモータの回転駆動力は、シーブ１の外周面及びロープ２の周面間の摩擦力のみを利用して伝達している。当該摩擦力は、シーブ１及びロープ２の摩擦係数、並びにエレベータカー３及びカウンターウエイト４による張力から得ている。
しかしながら、従来のトラクション式エレベータの巻上装置は叙上の如く、ロープ２へのモータの回転駆動力が、シーブ１の外周面及びロープ２の周面間の摩擦力のみに基づいて伝達されているから、シーブ１及びロープ２間で滑ってモータの回転駆動力がロープ２へ伝達されなくなることを防止するために、必要以上にエレベータカー３及びカウンターウエイト４の重量を増加させていた。従って、トラクション式エレベータ装置の軽量化が困難であった。
本発明は以上の点に鑑み、トラクション式エレベータ装置の軽量化ができるエレベータの巻上装置を提供することを目的とする。
【発明の開示】
上記目的を達成するために、本発明によるエレベータの巻上装置は、モータに連結されて回転させられるシーブと、シーブの外周面に巻き掛けられてエレベータカーを昇降させるロープとを備えたエレベータの巻上装置において、ロープをシーブの外周面に押し付ける押付けローラを有することを特徴としている。即ち、押付けローラでシーブの外周面及びロープの周面間の摩擦力を増加させているから、エレベータカー３及びカウンターウエイト４の重量を低減できる。従って、トラクション式エレベータ装置の軽量化ができるエレベータの巻上装置を提供することができる。
また、押付けローラが非回転物に回転自在に支持されると共に、押付けローラをロープに押圧する押圧手段を有することを特徴としている。従って、押付けローラの回転が滑らかになり、ロープ及びシーブへの強い押圧力を発生することができる。
また、押付けローラの外周がロープに係合する円弧溝を有していることを特徴としている。従って、押付けローラのロープへの接触面積が増加して、押付けローラ及びロープ間の摩擦力を増加できる。
また、押付けローラの外周が弾性体で構成されていることを特徴としている。即ち、押付けローラの外周がロープの円周に倣って円弧に変形できる。従って、押付けローラのロープへの接触面積が増加して、押付けローラ及びロープ間の摩擦力を増加できる。
また、押付けローラがシーブの回転中心に対して略対称的に配置された少なくとも一対からなることを特徴としている。従って、押付けローラが１個の場合と比べて、押付けローラ及びロープ間の摩擦力を増加できる。
また、押付けローラがロープに対して移動可能であることを特徴としている。従って、種々のロープ径のものに対応にできる。
また、一対の押付けローラ間に巻き掛けられたベルトを備え、一対の押付けローラが、一対の押付けローラ間のベルトを介して、ロープをシーブの外周面に押し付けることを特徴としている。従って、ベルトを介した押付けローラのロープへの接触面積が増加して、ベルトを介した押付けローラ及びロープ間の摩擦力を増加できる。
【図面の簡単な説明】  第１図は、本発明の第１実施形態を示す図である。
第２図は、本発明の第１実施形態に係る押付けローラ部分の詳細断面図である。
第３図は、本発明に係る押付けローラの他の例の図である。
第４図は、本発明の第２実施形態を示す図である。
第５図は、従来のトラクション式エレベータの巻上装置を示す図である。
【発明を実施するための最良の形態】  以下、本発明の第１実施形態を図面に基づいて説明する。図１及び図２において、１００はトラクション式エレベータ装置に用いられるエレベータの巻上装置である。固定部材１０はトラクション式エレベータ装置の固定箇所に取り付けられる。モータ（図示なし）の回転は減速機（図示なし）を介してシーブ１１の入力部１１１に伝達される。即ち、シーブ１１はモータに連結されて回転させられる。
ロープ１２はシーブ１１の外周面１３の溝部１３１に巻き掛けられてエレベータカー１４を昇降させる。エレベータカー１４は懸架した一方のロープ１２に接続されている。カウンターウエイト１５は懸架した他方のロープ１２に接続されている一対の押付けローラ１６はシーブ１１の回転中心に対して略対称に配置され、ロープ１２をシーブ１１の外周面１３に押し付ける。詳しくは、一対の押付けローラ１６はシーブ１１の回転中心を含む上下に対して略左右対称に配置されている。一対の押付けローラ１６の外周はロープ１１に係合する円弧溝１７を有している。各押付けローラ１６は軸１８（非回転物）に一対の軸受１９を介して回転自在に支持される。
ばね２０（押圧手段）は各押付けローラ１６をロープ１２に押圧する。各ばね２０は伸縮できるので、各押付けローラはロープ１６に対して移動可能である。
また、固定部材１０への押圧手段（ばね２０）の固定部を固定部材１０に対して移動可能にすることによって、各押付けローラ１６のロープ１２への押圧力を調整することができる。ばね２０のばね常数を適宜設定することによって、各押付けローラ１６のロープ１２への押圧力を適宜に変更できる。
ばね２０の一端は固定部材１０に支持され、他端は軸１８の円周溝２１に連結されている。軸用止め輪２３は、一対の軸受１９の位置決め、並びに抜け止め防止のために用いられている。
次に、本発明の第１実施形態の作用について説明する。
一対の押付けローラ１６は、ばね２０によってロープ１２をシーブ１の外周面に常に押し付けている。即ち、一対の押付けローラ１６でシーブ１の外周面及びロープ１２の周面間の摩擦力を増加させている。従って、エレベータカー３及びカウンターウエイト４の重量を低減できる。
（押付けローラの他の例）
本発明に係る一対の押付けローラの他の例を図面に基づいて説明する。図３おいて、各押付けローラ２００は金属性のローラ本体２０１の外周に、ゴムやシリコン等の円筒状の弾性体２０２が保持されている。ローラ本体２０１は前記第１実施形態の押付けローラと同様に、軸２０３（非回転物）に一対の軸受２０４を介して回転自在に支持される。
押付けローラ２００の外周は、前記第１実施形態のような円弧溝を形成していなくても、ロープ１２の円周に倣って円弧に変形できる。従って、押付けローラ２００のロープ１２への接触面積（接触抵抗）が増加して、押付けローラ２００及びロープ１２間の摩擦力を増加（摩擦抵抗が大）できる。
押付けローラ２００の外周に別個に弾性体２０２を保持せずに、ローラ本体２０１自体を円筒状の弾性体としても良い。
次に、本発明の第２実施形態を図面に基づいて説明する。図４において、３００はトラクション式エレベータ装置に用いられるエレベータの巻上装置である。固定部材３１０はトラクション式エレベータ装置の固定箇所に取り付けられる。モータ（図示なし）の回転は減速機（図示なし）を介してシーブ３１１の入力部３３３に伝達される。即ち、シーブ３１１はモータに連結されて回転させられる。
ロープ３１２はシーブ３１１の外周面３１３の溝部（図示なし）に巻き掛けられてエレベータカー（図示なし）を昇降させる。エレベータカーは懸架した一方のロープ３１２に接続されている。カウンターウエイト（図示なし）は懸架した他方のロープ３１２に接続されている一対の押付けローラ３１６はシーブ３１１の回転中心に対して略対称に配置され、ロープ３１２をシーブ３１１の外周面３１３に押し付ける。詳しくは、一対の押付けローラ３１６はシーブ３１１の回転中心を含む上下に対して略左右対称に配置されている。一対の押付けローラ３１６の外周間には、ベルト３１７が巻き掛けられている。一対の押付けローラ３１６は、ベルト３１７を介して、ロープ３１２をシーブ３１１の外周面に押し付けている。
各押付けローラ３１６は前記の第１実施形態と同様に、軸３１８（非回転物）に一対の軸受（図示なし）を介して回転自在に支持される。
ばね３２０（押圧手段）は各押付けローラ３１６をロープ３１２に押圧する。各ばね３２０は伸縮できるので、各押付けローラ３１６はロープ３１２に対して移動可能である。
ばね３２０の一端は固定部材３１０に支持され、他端は軸３１８の円周溝（図示なし）に連結されている。
次に、本発明の第２実施形態の作用について説明する。
図４において、一対の押付けローラ３１６は、ばね３２０によってベルト３１７を介して、ロープ３１２をシーブ３１１の外周面に常に押し付けている。即ち、ベルト３１７を介した押付けローラ３１６のロープ３１２への接触面積（接触抵抗）が増加して、ベルト３１７を介した押付けローラ３１６及びロープ３１２間の摩擦力を増加（摩擦抵抗が大）できる。
なお、本発明の実施形態はローピング方式が１：１方式で説明したが、本発明は１：１のローピング方式に限定されない。
【産業上の利用可能性】  以上説明したように、本発明の請求項１によれば、トラクション式エレベータ装置の軽量化ができるエレベータの巻上装置を提供することができる。
本発明の請求項２によれば、押付けローラの回転が滑らかになり、ロープ及びシーブへの強い押圧力を発生することができる。
本発明の請求項３によれば、押付けローラのロープへの接触面積が増加して、押付けローラ及びロープ間の摩擦力を増加できる。
本発明の請求項４によれば、押付けローラのロープへの接触面積が増加して、押付けローラ及びロープ間の摩擦力を増加できる。
本発明の請求項５によれば、押付けローラが１個の場合と比べて、押付けローラ及びロープ間の摩擦力を増加できる。
本発明の請求項６によれば、種々のロープ径のものに対応にできる。
本発明の請求項７によれば、ベルトを介した押付けローラのロープへの接触面積が増加して、ベルトを介した押付けローラ及びロープ間の摩擦力を増加できる。
【図１】
2004005179.tif 000003
【図２】
2004005179.tif 000004
【図３】
2004005179.tif 000005
【図４】
2004005179.tif 000006
【図５】
2004005179.tif 000007
【国際調査報告】
2004005179.tif 000008
2004005179.tif 000009
2004005179.tif 000010